(57)【要約】      （修正有）【課題】給湯口アダプターを簡単に取り付けることができ、低コストで製造できる給湯口アダプター取付治具を提供する。【解決手段】本発明は、給湯口アダプターを浴槽壁部に取り付けるための取付治具を対象とする。本取付治具は、細長棒状の軸部５１と、軸部５１の一端部に形成され、かつ浴槽外側から取付孔に挿通されて浴槽内壁面における取付孔の周縁部に係止可能なフック部５３と、軸部５１の他端部に形成され、かつ槽外取付部材に設けられたねじ切り凹部にねじ込んで槽外取付部材を連結可能なねじ部５８と、フック部５３の一端側に、フック部５３と軸方向に並んで配置されるように形成され、かつ軸部５１を軸方向に沿って一端側に引き寄せる際に把持可能な把持部５２とを備え、合成樹脂の成形品によって構成されている。【選択図】図５
2014156984.tif 000002
【特許請求の範囲】
【請求項１】
浴槽壁部の取付孔の外側に配置される槽外取付部材と、浴槽内側から取付孔に挿入されて槽外取付部材にねじ込んで固定される雄ねじ部材とを備えた給湯口アダプターを浴槽壁部に取り付けるための給湯口アダプター取付治具であって、
細長棒状の軸部と、
前記軸部の一端部に形成され、かつ浴槽外側から取付孔に挿通されて浴槽内壁面における取付孔の周縁部に係止可能なフック部と、
前記軸部の他端部に形成され、かつ槽外取付部材に設けられたねじ切り凹部にねじ込んで槽外取付部材を連結可能なねじ部と、
前記フック部の一端側に、フック部と軸方向に並んで配置されるように形成され、かつ前記軸部を軸方向に沿って一端側に引き寄せる際に把持可能な把持部とを備え、
合成樹脂の成形品によって構成されていることを特徴とする給湯口アダプター取付治具。
【請求項２】
前記軸部における一端側よりの位置に、前記ねじ部よりもねじり強さが弱い低強度部が形成されている給湯口アダプター取付治具。
【請求項３】
前記把持部に、指を掛けるための指掛け部が形成されている請求項１または２に記載の給湯口アダプター取付治具。
【請求項４】
前記把持部が環状に形成されている請求項３に記載の給湯口アダプター取付治具。
【請求項５】
給湯口アダプターは、雄ねじ部材に浴槽内側から装着される流路仕切部材を備え、その流路仕切部材に設けられたロックピンを押し込むことによって、流路仕切部材が雄ねじ部部材に装着された状態でロックされるよう構成される一方、
ロックピンを挟持して引き出すことによりロックを解除するためのピンセット部を、さらに備える請求項１〜４のいずれか１項に記載の給湯口アダプター取付治具。
【請求項６】
請求項１〜５のいずれか１項に記載の給湯口アダプター取付治具を用いて給湯口アダプターを浴槽壁部に取り付けるようにした給湯口アダプター取付方法であって、
前記ねじ部を槽外取付部材のねじ切り凹部にねじ込んで槽外取付部材に連結した取付治具のフック部を、浴槽壁部の取付孔に外側から挿入して、浴槽内壁面における取付孔の周縁部に係止することにより、浴槽壁部に槽外取付部材を取付治具を介して仮保持し、
仮保持状態の槽外取付部材に連結された取付治具におけるフック部に指を掛けた上で、把持部を把持しつつ、取付治具を浴槽内側に引き寄せて、槽外取付部材を浴槽外側において取付孔に対向配置させ、
続けて、浴槽内側から雄ねじ部材を取付孔に挿通して槽外取付部材にねじ込んで固定するようにしたことを特徴とする給湯口アダプター取付方法。
【発明の詳細な説明】
【技術分野】
【０００１】
この発明は、浴槽の壁部に給湯口アダプターを取り付ける際に用いられる給湯口アダプター取付治具および取付方法に関する。
【背景技術】
【０００２】
浴槽の壁部に取り付けられる給湯口アダプターは、浴槽壁部の取付孔に貫通配置した状態に取り付けられる。この給湯口アダプターは、浴槽の外側に配置される槽外取付部材と、浴槽の内側から取付孔を介して槽外取付部材にねじ込まれる雄ねじ部材と、雄ねじ部材に装着される流路仕切部材と、流路仕切部材に装着されるフィルター部材とを備えている。
【０００３】
このような給湯口アダプターは、浴室外において槽外取付部材を浴槽外壁面の取付孔周辺に配置しておき、浴室内において雄ねじ部材を浴槽の内側から取付孔に通して、上記槽外取付部材にねじ込むようにしている。このため、浴室外で槽外取付部材を保持する作業者と、浴室内から雄ねじ部材をねじ込む作業者との二人作業となり、作業効率や作業コストの点で問題があった。
【０００４】
そこで下記特許文献１に示すように、給湯口アダプターを一人作業で浴槽に取り付けることができるように、専用の取付治具が周知である。
【０００５】
この給湯口アダプター取付治具は、一端にフック部が設けられるとともに、他端にねじ部が設けられており、ねじ部を槽外取付部材のねじ切り凹部にねじ込んで槽外取付部材に連結しておく。そして作業者は、取付治具の一端側を浴槽外から取付孔に挿入し、フック部を浴槽内壁面における取付孔の周辺に引っ掛けて、その状態で仮保持する。続いて作業者は、浴室内に回り込んで、取付治具をフック部に指を掛けて浴槽内側に引き込んで、槽外取付部材を浴槽外壁面の取付孔に対向配置させる。続いて作業者は、浴槽内側から取付孔に雄ねじ部材を挿入して、槽外取付部材にねじ込むことにより、雄ねじ部材および槽外取付部材を浴槽壁部に固定するようにしている。
【先行技術文献】
【特許文献】
【０００６】
【特許文献１】特開平８−３１３０６５号公報
【発明の開示】
【発明が解決しようとする課題】
【０００７】
しかしながら、上記特許文献１に示す従来の給湯口アダプター取付治具は、金属によって構成されているため、フック部の曲げ加工や、雄ねじ部のねじ切り加工等の面倒な機械加工が必要であり、製造が困難で、材料費自体も高く、コストの増大を来すという課題があった。
【０００８】
一方、給湯口アダプター取付治具を硬質合成樹脂によって作製すれば、簡単に製造できて、コストを削減することができる。
【０００９】
しかしながら、取付治具の他端側に連結される槽外取付部材は、金属製で高重量のものが多く使用されるため、取付治具を樹脂で作製すると、取付治具をそのフック部に指を掛けて浴槽内側から引き込む際に、取付治具が大きく撓んでしまい、槽外取付部材の位置が不安定となり、槽外取付治具を所望の位置（取付孔に臨む位置）に正確に引き寄せることが困難となり、良好な作業性を得ることができないという課題が発生する。
【００１０】
さらにフック部には、実質的に指を１本しか掛けられないため、取付治具を引き込む際の応力が、１本の指に集中し、指への負担が大きく、良好な操作性が得られないという課題もあった。
【００１１】
この発明は、上記の課題に鑑みてなされたものであり、給湯口アダプターを一人作業でも簡単に取り付けることができるとともに、良好な操作性を得ることができる上、簡単かつ低コストで製造することができる給湯口アダプター取付治具および取付方法を提供することを目的とする。
【課題を解決するための手段】
【００１２】
上記課題を解決するため、本発明は、以下の手段を備えるものである。
【００１３】
［１］浴槽壁部の取付孔の外側に配置される槽外取付部材と、浴槽内側から取付孔に挿入されて槽外取付部材にねじ込んで固定される雄ねじ部材とを備えた給湯口アダプターを浴槽壁部に取り付けるための給湯口アダプター取付治具であって、
細長棒状の軸部と、
前記軸部の一端部に形成され、かつ浴槽外側から取付孔に挿通されて浴槽内壁面における取付孔の周縁部に係止可能なフック部と、
前記軸部の他端部に形成され、かつ槽外取付部材に設けられたねじ切り凹部にねじ込んで槽外取付部材を連結可能なねじ部と、
前記フック部の一端側に、フック部と軸方向に並んで配置されるように形成され、かつ前記軸部を軸方向に沿って一端側に引き寄せる際に把持可能な把持部とを備え、
合成樹脂の成形品によって構成されていることを特徴とする給湯口アダプター取付治具。
【００１４】
［２］前記軸部における一端側よりの位置に、前記ねじ部よりもねじり強さが弱い低強度部が形成されている給湯口アダプター取付治具。
【００１５】
［３］前記把持部に、指を掛けるための指掛け部が形成されている前項１または２に記載の給湯口アダプター取付治具。
【００１６】
［４］前記把持部が環状に形成されている前項３に記載の給湯口アダプター取付治具。
【００１７】
［５］給湯口アダプターは、雄ねじ部材に浴槽内側から装着される流路仕切部材を備え、その流路仕切部材に設けられたロックピンを押し込むことによって、流路仕切部材が雄ねじ部部材に装着された状態でロックされるよう構成される一方、
ロックピンを挟持して引き出すことによりロックを解除するためのピンセット部を、さらに備える前項１〜４のいずれか１項に記載の給湯口アダプター取付治具。
【００１８】
［６］前項１〜５のいずれか１項に記載の給湯口アダプター取付治具を用いて給湯口アダプターを浴槽壁部に取り付けるようにした給湯口アダプター取付方法であって、
前記ねじ部を槽外取付部材のねじ切り凹部にねじ込んで槽外取付部材に連結した取付治具のフック部を、浴槽壁部の取付孔に外側から挿入して、浴槽内壁面における取付孔の周縁部に係止することにより、浴槽壁部に槽外取付部材を取付治具を介して仮保持し、
仮保持状態の槽外取付部材に連結された取付治具におけるフック部に指を掛けた上で、把持部を把持しつつ、取付治具を浴槽内側に引き寄せて、槽外取付部材を浴槽外側において取付孔に対向配置させ、
続けて、浴槽内側から雄ねじ部材を取付孔に挿通して槽外取付部材にねじ込んで固定するようにしたことを特徴とする給湯口アダプター取付方法。
【発明の効果】
【００１９】
発明［１］の給湯口アダプター取付治具によれば、合成樹脂によって形成されているため、簡単かつ低コストで製造することができる。またフック部の一端側に軸方向に並べて把持部を形成しているため、他端に槽外取付部材が連結された取付治具を浴槽内に引き込む際に、フック部に指を掛けた上で把持部を掌で握ることにより、軸方向の広い範囲を確実に把持できて、取付治具を安定状態に保持することができる。このため、取付治具が大きく撓むのを有効に防止でき、槽外取付部材が連結された取付治具の引き寄せ操作をスムーズに行うことができ、ひいては給湯口アダプターの取付作業を簡単に行うことができる。さらに取付治具を引き込む際の応力を複数の指や掌全体に分散させることができるため、指への負担が少なくなり、良好な操作性を得ることができる。
【００２０】
発明［２］の給湯口アダプター取付治具によれば、ねじ部を槽外取付部材のねじ切り凹部に過度にねじ込んでしまったとしても、ねじ部よりも先に低強度部が破断することによって、ねじ切り凹部にねじ込まれたねじ部と共に軸部が残存する。このためその残存する軸部を把持してねじ部を回転操作できて、ねじ部をねじ切り凹部から確実に取り除くことができる。
【００２１】
発明［３］の給湯口アダプター取付治具によれば、把持部に指掛け部を形成しているため、場合によっては、把持部に指を掛けることができ、現場状況に応じて、様々な形態で使用することができる。
【００２２】
発明［４］の給湯口アダプター取付治具によれば、把持部を環状に形成しているため、把持部を握る場合でも、把持部に指を掛ける場合でも、いずれの場合でも良好な操作性を得ることができる。
【００２３】
発明［５］の給湯口アダプター取付治具によれば、流路仕切部材の雄ねじ部材に対するロックを解除することができ、ロック解除専用の部材を使用しなくとも、給湯口アダプターの分解作業を行うことができる。
【００２４】
発明［６］の給湯口アダプター取付方法によれば、給湯口アダプターを浴槽壁部に簡単かつスムーズに取り付けることができる。
【図面の簡単な説明】
【００２５】
【図１】図１はこの発明の実施形態である取付治具により取り付けられた浴槽用給湯口アダプターを示す側面断面図である。
【図２】図２は実施形態の給湯口アダプターを分解して示す斜視図である。
【図３】図３は実施形態の給湯口アダプターにおける槽外取付部材を示す正面図である。
【図４】図４は実施形態の給湯口アダプターにおける流路仕切部材を示す下面図である。
【図５】図５は実施形態の取付治具を示す図であって、図（ａ）は側面図、図（ｂ）は平面図、図（ｃ）は正面図である。
【図６Ａ】図６Ａは本実施形態の流路仕切部材のロックピン周辺をロック解除直前の状態で示す側面断面図である。
【図６Ｂ】図６Ｂは本実施形態の流路仕切部材のロックピン周辺をロック解除直後の状態で示す側面断面図である。
【図７】図７は実施形態による給湯口アダプターの組付手順を説明するための側面断面図である。
【図８】図８は実施形態による給湯口アダプターの組付手順を説明するための側面断面図である。
【図９】図９はこの発明の第１変形例である給湯口アダプター取付治具を示す側面図である。
【図１０】図１０はこの発明の第２変形例である給湯口アダプター取付治具を示す側面図である。
【発明を実施するための形態】
【００２６】
まず始めに、本発明の実施形態である取付治具５を用いて浴槽に組み付けられる給湯口アダプターの構成について説明する。
【００２７】
図１は給湯口アダプターを浴槽の壁部Ｗ１に組み付けた状態で示す断面図、図２は給湯口アダプターを分解して示す斜視図である。
【００２８】
両図に示すように、給湯口アダプターは、浴槽の壁部Ｗ１に設けられた取付孔Ｈ１に組み付けられる。この給湯口アダプターは、室外の給湯機から供給された湯水を浴槽内に供給する湯はり処理の他に、浴槽内の湯水を吸い込んで室外の給湯機に送り、そこで再加熱して、高温のお湯を浴槽内に戻すようにした追い焚き処理を行えるものである。
【００２９】
なおこの給湯口アダプターは、２つの外管接続部１ａ，１ｂに対して、給湯機につながる往き管および戻り管のどちらを接続しても使用可能な、いわゆる無極性タイプである。さらにアダプター内部に、逆流防止弁等の水の流動を制御するための流動制御弁が設けられない弁無しタイプである。
【００３０】
本実施形態の給湯口アダプターは、槽外取付部材１と、雄ねじ部材２と、流路仕切部材３と、フィルター部材４とを基本的な構成要素として備えている。なお、以下の説明においては、給湯口アダプターの軸心方向に沿って浴槽に対して内側（図１の左側）を「前側」または「正面側」とし、浴槽に対して外側（図１の右側）を「後側」または「裏面側」として説明する。
【００３１】
図１〜図３に示すように槽外取付部材１は、金属によって構成されており、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の第１，第２外管接続部１ａ，１ｂとを一体に有している。
【００３２】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００３３】
外筒部１２の前部内周面には、雄ねじ部材２をねじ込むための雌ねじが刻設されている。さらに図１に示すように内筒部１１の内周面には、合成ゴム製のＯリング８１が収容されている。
【００３４】
槽外取付部材１の内筒部１１の内側における後壁（底壁）の内面側には、後述の取付治具５をねじ止んで固定するためのねじ切り凹部１８が形成されている。
【００３５】
また槽外取付部材１のフランジ部１５の外周縁部には、そのフランジ部１５と浴槽外壁面との間の水密を図るためのパッキン８２が取り付けられている。
【００３６】
雄ねじ部材２は、前後両端が開放された円筒形状の胴部２１と、その胴部２１の前端外周に設けられた平板リング状のフランジ部２５とを一体に有する鍔付き円筒形状の硬質合成樹成形品をもって構成されている。
【００３７】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００３８】
フランジ部２５の前面側には、周方向に沿って所定の間隔おきに複数のロック凹部２６が形成されている（図２等参照）。
【００３９】
雄ねじ部材２におけるフランジ部２５の後面側（裏面側）には、浴槽内壁面との間に介在されるように、合成ゴム製のリング状パッキン８３が設けられている（図１参照）。
【００４０】
そして、槽外取付部材１のフランジ部１５が、浴槽の外壁面における取付孔Ｈ１の周縁部に沿うように配置された状態で、雄ねじ部材２のフランジ部２５が、パッキン８３を介して浴槽内壁面における取付孔Ｈ１の周縁部に圧接されるようにして、雄ねじ部材２の胴部２１が取付孔Ｈ１を通じて、槽外取付部材１の外筒部１２にねじ込まれて固定される。これにより両部材１，２のフランジ部１５，２５によって、浴槽壁部Ｗ１における取付孔周縁部が挟持されて、両部材１，２が浴槽壁部Ｗ１に貫通状態に組み付けられる。
【００４１】
流路仕切部材３は、軸心方向（前後方向）に延びる細長い円筒形状の円筒部３１と、その円筒部３１の前端部に設けられた円盤状の槽内突出部３２とを有している。
【００４２】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００４３】
槽内突出部３２は、内部に複数の流路が設けられる中空構造を有している。図４に示すようにこの槽内突出部３２における外周壁の下部両側には、第１，第２開口３２ａ，３２ｂが形成されている。
【００４４】
図１および図２に示すように槽内突出部３２の上側部には、ロックピン３６が後方へ押し込み可能に装着されている。図６Ａに示すようにこのロックピン３６を後方に押し込んだ状態（ロック状態）では、ピン３６の先端（後端）が、槽内突出部３２の後面から後方へ突出して配置されるとともに、図６Ｂに示すように手前に引き寄せた状態（ロック解除状態）では、ピン３６の先端が、槽内突出部３２内に収容されて、後面から後方へ突出しないようになっている。さらにこのロックピン３６は、ロック状態（押込状態）と、ロック解除状態（引寄状態）とのいずれの状態においても固定可能に構成されており、例えばロック解除状態のロックピン３６を指で押し込めば、ロック状態に移行できるとともに、ロック状態のロックピン３６を後述の取付治具５等を用いて手前に引き寄せれば、ロック解除状態に移行できるようになっている。
【００４５】
流路仕切部材３は、その槽内突出部３２の後側を、雄ねじ部材２のフランジ部２５の前面側から外嵌して、周方向に少量捻回操作することにより、雄ねじ部材２に対して前方へ抜け出し不能となるように構成されている。従ってその状態で、流路仕切部材３のロックピン３６を押し込んでロック状態とすると、ロックピン３６の先端が、雄ねじ部材２において対応するいずれかのロック凹部２６に嵌り込む。これにより、流路仕切部材３は、雄ねじ部材２に対し捻回不能となるため、流路仕切部材３の雄ねじ部材２との組付が意に反して解除されるのを防止することができる。つまり、流路仕切部材３を雄ねじ部材２に固定することができる。
【００４６】
またこのロック状態から、ロックピン３６を手前に引き寄せて、ロック解除状態とすると、流路仕切部材３は、雄ねじ部材２に対し捻回可能となり、その捻回操作によって流路仕切部材３を雄ねじ部材２から取り外すことができるようになっている。
【００４７】
なお図６Ａおよび図６Ｂに示すように、ロックピン３６の頭部前面側には、つまみ部３７が設けられており、ロックピン３６のロックを解除する際には、このつまみ部３７をピンセットや後述の取付治具５等によって挟持して、引き寄せ操作できるようになっている。
【００４８】
また図１に示すように、槽外取付部材１の内筒部１１内に設けられたＯリング８１によって、その内筒部１１と、流路仕切部材３の円筒部３１との間の水密が図られるとともに、流路仕切部材３の槽内突出部３２の後面に設けられたパッキン８４によって、流路仕切部材３の槽内突出部３２と、雄ねじ部材２のフランジ部２５との間の水密が図られるようになっている。
【００４９】
流路仕切部材３を雄ねじ部材２および槽外取付部材１に組み付けた状態では、内側流路Ａが、流路仕切部材３の第１開口３２ａに連通されるとともに、外側流路Ｂが、流路仕切部材３の第２開口３２ｂに連通されている。
【００５０】
また流路仕切部材３にはその槽内突出部３２を覆うようにして、フィルター部材４が着脱自在に取り付けられる。このフィルター部材４には、槽内突出部３２の第１，第２開口３２ａ，３２ｂに対応して、開口４２，４２が形成されている。
【００５１】
以上のように構成された給湯口アダプターは、既述したように、室外給湯機と配管接続する際に、槽外取付部材１における２つの外管接続部１ａ，１ｂに対して、室外給湯機につながる往き管および戻り管のどちらを接続しても使用可能な無極性タイプのものである。例えば第１外管接続部１ａに往き管、第２外管接続部１ｂに戻り管を接続した状態において、追い焚き処理を行った場合には、給湯機から供給される湯水が往き管および第１外管接続部１ａを通って内側流路Ａに導入され、さらにその湯水が内側流路Ａを通って、流路仕切部材３の第１開口３２ａおよびフィルター部材４の一方の開口４２を通って、浴槽内に供給される。
【００５２】
吸込側では、給湯機の吸引力によって、戻り管および外側流路Ｂが負圧に設定されるため、浴槽内の湯水は、フィルター部材９の他方の開口４２および流路仕切部材３の第２開口３２ｂを通って、外側流路Ｂに吸い込まれ、戻り管を通って給湯機に戻される。
【００５３】
一方、第２外管接続部１ｂに往き管、第１外管接続部１ａに戻り管を接続した状態で、追い焚き処理を行った場合には、上記とは逆方向に循環する。すなわち給湯機からの湯水が、往き管、外側流路Ｂ、第２開口３２ｂおよびフィルター部材４の開口４２を通って浴槽内に供給されるとともに、浴槽内の湯水は、フィルター部材４の開口４２、第１開口３２ａ、内側流路Ａ、第１外管接続部１ａおよび戻り管を通って給湯機に戻される。
【００５４】
次に本実施形態のポイントとなる給湯口アダプター取付治具５の構成について詳細に説明する。
【００５５】
図５はこの発明の実施形態である給湯口アダプター取付治具５を示す図である。なお以下の説明においては、図５（ａ）に向かって、左側を「前側（一端側）」とし、右側を「後側（他端側）」とし、上下方向を「上下方向」として説明する。
【００５６】
図５に示すように、この取付治具５は、硬質合成樹脂の一体成形品によって構成されており、前後方向に延びる棒状の軸部５１を備えている。本実施形態において軸部５１は断面六角形状に形成されているが、言うまでもなく、軸部５１の断面形状は限定されるものではない。
【００５７】
軸部５１の後端には、上記槽外取付部材１の底壁に形成されたねじ切り凹部１８にねじ込み固定可能なねじ部５８が形成されている。
【００５８】
また軸部５１の前側には、把持部５２と、フック部５３とが前後方向である軸部５１の長さ方向（軸方向）に並んで一体に形成されている。
【００５９】
把持部５２は、フック部５３よりも前方に配置され、側面視において前後方向（軸方向）に長い長円形の環状に形成されている。この把持部５２には、必要に応じて、内側に指を挿入して、前側の枠部に指を掛けることができるようになっている。従って本実施形態においては、把持部５２における前側の枠部が、指掛け部として機能する。
【００６０】
フック部５３は、後方に開放されたＵ字形状に形成されている。このフック部５３における前端部には、指を掛けることができるようになっている。
【００６１】
把持部５２およびフック部５３は、既述したように前後方向（軸方向）に並んで配置されており、図５（ｃ）に示すように軸方向の一方側から見た状態では、把持部５２およびフック部５３が重なり合うように配置される。
【００６２】
把持部５２の前端面には、ピンセット部５４が一体に形成されている。このピンセット部５４は、前方に突出する上下一対の挟持片５５，５５を有している。図６Ａおよび図６Ｂに示すように一対の挟持片５５，５５は互いに離間する方向（上下方向）に弾性変形可能に構成されており、一対の挟持片５５，５５間に、上記流路仕切部材３のロックピン３６のつまみ部３７を強制的に圧入すると、一対の挟持片５５，５５が弾性力に抗して上下に押し開かれることによって、一対の挟持片５５によってつまみ部３７を保持できるようになっている。
【００６３】
また図５に示すように取付治具５の軸部５１における前端部には、つまり軸部５１におけるフック部５３と隣接する部分には、軸部５１よりも幅が狭い薄板状の低強度部５６が一体に形成されている。この低強度部５６は、ねじりに対する破壊強度（破壊強さ）が他の部位に比べて弱くなっている。従って、取付治具５の低強度部５６よりも前方、例えば把持部５２やフック部５３を握って、ねじ部５８を槽外取付部材１のねじ切り凹部１８内にねじ込んでいく際に、必要以上の強い力で過度にねじ込んでしまったとしても、ねじ部５８が破断するよりも前に、低強度部５６が破断するようになっている。このため後に詳述するように、ねじ部５８をねじ込む際に取付治具５が破断しても、ねじ部５８をねじ切り凹部１８から除去できるようにしている。
【００６４】
なお、本実施形態の取付治具５は、給湯口アダプターを構成する雄ねじ部材２における胴部２１の筒孔に挿通できる大きさに形成されている。
【００６５】
次に、取付治具５を用いて給湯口アダプターを浴槽壁部Ｗ１に取り付ける手順について説明する。
【００６６】
給湯口アダプターは通常、組付状態で現場に搬入されるため、実際に浴槽壁部Ｗ１に取り付ける前に、給湯口アダプターを、各構成部材１〜４ごとに分解する。
【００６７】
この分解作業において、流路仕切部材３を雄ねじ部材２から取り外す際に、ロック状態（押込状態）のロックピン３６を手前に引き出してロックを解除する必要があるが、本実施形態では、このロック解除操作を取付治具５を用いることによって簡単に行うことができる。
【００６８】
すなわち図６Ａに示すように、取付治具５におけるピンセット部５４の両挟持片５５，５５間を、流路仕切部材３におけるロックピン３６のつまみ部３７に対向させておき、取付治具５を流路仕切部材３側に強く押し込む。これにより取付治具５の両挟持片５５，５５が弾性拡開変形して、両挟持片５５，５５間にロックピン３６のつまみ部３７が圧入されて、両挟持片５５，５５によってロックピン３６のつまみ部３７が挟持される。続いて図６Ｂに示すように、取付治具５を流路仕切部材３に対し前方へ遠ざけるように引き寄せると、取付治具５と共につまみ部３７（ロックピン３６）が前方に引き出されてロックが解除される。ロックが解除された後は、取付治具５の両挟持片５５，５５間からつまみ部３７が抜け出して、取付治具５がロックピン３６（流路仕切部材３）から切り離される。
【００６９】
このように取付治具５を用いてロックピン３６によるロックを解除でき、流路仕切部材３を雄ねじ部材２から支障なく取り外すことができる。
【００７０】
なおフィルター部材４の流路仕切部材３からの取外操作や、雄ねじ部材２の槽外取付部材１からの取外操作は、回転操作によって簡単に取り外すことができる。
【００７１】
こうして給湯口アダプターを分解した後、以下に説明するように浴槽壁部Ｗ１に組み付ける。
【００７２】
まず始めに、本実施形態の取付治具５のねじ部５８を、槽外取付部材１のねじ切り凹部１８内にねじ込んで、取付治具５を槽外取付部材１に連結する。なお槽外取付部材１のフランジ部１５には、予めパッキン８１，８２（図１参照）を装着しておく。
【００７３】
そして図７に示すように、その取付治具５の前部である把持部５２およびフック部５３を、浴室外側から、浴室外壁Ｗ２の取付孔Ｈ２および浴槽壁部Ｗ１の取付孔Ｈ１に挿通して、フック部５３を浴槽壁部Ｗ１における取付孔Ｈ１の周縁部に引っ掛ける。これにより、把持部５２およびフック部５３を浴槽内側に配置し、かつ取付治具５を介して槽外取付部材１を浴室外側から浴槽外側の間に配置した状態（仮置き状態）に保持する。なお、この状態においては、フック部５３よりも前側に配置された把持部５３は、浴槽の内側に突出した状態となっている。
【００７４】
続いて作業者は、浴室の浴槽内に回り込み、パッキン８２および雄ねじ部材２をその筒孔内に取付治具５の枠状部５２およびフック部５３を挿通させて、浴槽内壁面における取付孔Ｈ１の近傍に配置する。その後図８に示すように、作業者は、取付治具５のフック部５３に適当な指、例えば人差し指を引っ掛けて、残りの指や掌で、把持部５２およびフック部５３の周辺を握り持ち、取付治具５を浴槽内側に引き込み、取付治具５の後端に連結された槽外取付部材１を引き寄せて、槽外取付部材１のフランジ部１５を浴槽外壁面における取付孔Ｈ１の周縁部に当接させる。この状態を保持したまま、作業者は、パッキン８３を介して雄ねじ部材２を取付孔Ｈ１内に挿入して槽外取付部材１にねじ込んでいく。これにより槽外取付部材１のフランジ１５と雄ねじ部材２のフランジ２５とによって、浴槽壁部Ｗ１における取付孔Ｈ１の周縁部を内外から挟持させて、槽外取付部材１および雄ねじ部材２を浴槽壁部１に固定する。
【００７５】
なお、浴槽内側に引き込む際の取付治具５における指の掛け方や握り方等は、一様でなく、現場の状況や作業者の好み等に合わせて、適宜、変更すれば良い。例えば人差し指以外の指をフック部５３に引っ掛けたり、２本以上の指をフック部５３に引っ掛けたり、あるいは環状把持部５２に中指を引っ掛けたりしても良い。さらにはフック部５３や把持部５２に指を掛けずに、フック部５３および把持部５２周辺をわし掴みするように握っても良い。
【００７６】
雄ねじ部材２を取り付けた後は、取付治具５を槽外取付部材１に対し回転操作して槽外取付部材１から取り外すとともに、雄ねじ部材２からも抜き取る。
【００７７】
その後、既述したように、雄ねじ部材２に流路仕切部材３を装着して、流路仕切部材３のロックピン３６を押し込んでロック状態とする。さらにその流路仕切部材３の槽内突出部３２にフィルター部材４を装着する。
【００７８】
これにより給湯口アダプターの浴槽壁部Ｗへの組付作業が終了する。
【００７９】
なお、言うまでもなく、本発明において、給湯口アダプターの組付手順や分解手順は上記の手順に限定されるものではなく、組み立てることができるのであれば、どのような手順で行っても良い。
【００８０】
以上のように、本実施形態の給湯口アダプター取付治具５によれば、硬質合成樹脂の一体成形品によって構成しているため、熱成形によって、簡単かつ効率良く製造することができ、例えば曲げ加工やねじ切り加工等の面倒な機械加工を伴う金属製の取付治具と比較して、コストを大幅に削減することができる。
【００８１】
さらに本実施形態の取付治具５においては、フック部５３の前方に並べて把持部５２を形成しているため、フック部５３に人差し指等を掛けて残りの指や掌でフック部５３および把持部５２周辺を把持することができる。つまり作業者は複数の指を前後方向である引き寄せ方向に並べた状態で取付治具５を握り持つことができ、後端に槽外取付部材１を連結した取付治具５を手前に引き寄せる操作を無理なくスムーズに行うことができる。このため槽外取付部材１を浴槽外壁面の正規位置まで確実に引き寄せることができ、ひいては給湯口アダプターの組付作業を効率良くスムーズに行うことができる。
【００８２】
さらに本実施形態の取付治具５においては、複数の指を前後方向（軸方向）に並べた状態で把持できるため、つまり取付治具５を前後方向（軸方向）の広い範囲にわたって把持することができるため、後端に高重量の槽外取付部材１が連結されていても、取付治具５を安定状態に保持でき、取付治具５が下方（軸方向に直交する方向）に大きく撓むのを有効に防止することができる。このため、本実施形態の取付治具５は、撓みによる弊害を回避でき、後端に槽外取付部材１を連結した取付治具５を内側に引き寄せる操作を、より一層スムーズに行うことができる。
【００８３】
また本実施形態においては、フック部５３の前側に把持部５２を形成しているため、フック部５３を浴槽内壁面における取付孔Ｈ１の周縁部に係合した状態では（図６Ａ参照）、把持部５２が浴槽内に大きく突出している。このため、この大きく飛び出した把持部５２を掴んで、フック部５３の取付孔Ｈ１に対する係合を解除することができ、取付治具５を謝って浴槽外側に落としてしまうような不具合を確実に防止でき、アダプター組付作業をより一層スムーズに行うことができる。
【００８４】
参考までに従来の取付治具のように、前端にフック部が形成されている場合には、フック部を取付孔Ｈ１に係合した状態では、フック部の一部のみが浴槽内側に配置されるだけとなり、そのフック部の一部を掴もうとした際に、手が滑って、取付治具を浴槽外側に落としてしまうおそれがあった。
【００８５】
また本実施形態においては、フック部５３に指を掛けた上、把持部５２およびフック部５３の周辺を残りの指や掌で握るようにしているため、取付治具５を引き込む際の応力を複数の指や掌全体に分散させることができ、指への負担が少なくなり、良好な操作性を得ることができる。
【００８６】
なお取付治具５に指掛け部（環状把持部）を例えばフック部５３の上方に形成し、指を上下に並べて引っ掛けるようにした場合には、フック部５３および把持部の部分における軸方向に直交する寸法（径寸法）が大きくなってしまう。このため、当該部分の径寸法が、雄ねじ部材２の筒孔の内径寸法よりも大きくなってしまう場合があり、そうすると取付治具の前端部に、雄ねじ部材２を外嵌できず、雄ねじ部材２を取り付けることができなくなり、好ましくない。
【００８７】
さらに指を上下に並べて引っ掛けるようにした場合には、作業者は複数の指を引き寄せ方向に対し直交する方向に並べた状態で取付治具を握り持つこととなり、後端に槽外取付部材１を連結した取付治具を内側に引き寄せる操作をスムーズに行えなくなり、好ましくない。
【００８８】
また本実施形態の取付治具５においては、軸部５１とフック部５３との間に、ねじ部５８よりもねじりに対する破壊強さの弱い低強度部５６を形成しているため、取付治具５が破断しても、槽外取付部材１のねじ切り凹部１８内に残存する部位を簡単かつ確実に除去することができる。
【００８９】
すなわち仮に、低強度部５６を形成しない樹脂製の取付治具において、ねじ部５８を槽外取付部材１のねじ切り凹部１８内にねじ込む際に、謝って強い力で過度にねじ込んでしまうと、ねじ部５８やその近傍の部分が破断し、ねじ部５８がねじ切り凹部１８内に埋設した状態に残存する。この状態では、破断したねじ部５８をねじ切り凹部１８から簡単に除去することができず、給湯口アダプターの組付作業に支障を来すおそれがある。
【００９０】
そこで本実施形態の取付治具５においては、軸部５１の前端部に、ねじ部５８よりもねじり強さの弱い低強度部５６を形成しているため、把持部５２やフック部５３を握ってねじ部５８を槽外取付部材１のねじ切り凹部１８にねじ込む際に、過度にねじ込んでしまったとしても、ねじ部５８が破断する前に低強度部５６が破断することにより、ねじ切り凹部１８内にねじ込まれたねじ部５８と共に軸部５１の大部分が残存することとなる。このため、その残存する軸部５１を握って回転操作することによって、ねじ部５８をねじ切り凹部１８内から確実に抜き取ることができ、以降の作業を支障なく行うことができる。
【００９１】
特に本実施形態においては、軸部５１におけるフック部５３と隣接する前端位置に低強度部５６を形成しているため、低強度部５６が破断した際に、残存する軸部５１の長さを十分に長く確保することができ、軸部５１の回転操作、ひいてはねじ部５８のねじ切り凹部１８からの除去をスムーズに行うことができ、
また本実施形態の取付治具５においては、前端にピンセット部５４を一体に形成し、既述したようにそのピンセット部５４を利用して、流路仕切部材３の雄ねじ部材２に対するロックを解除できるようにしているため、ロック解除専用のピンセット部材を別途準備する必要がなく、作業用道具の点数を削減することができる。
【００９２】
なお、上記実施形態においては、弁無し無極性タイプの給湯口アダプターを組み付ける場合を例に挙げて説明したが、それだけに限られず、本発明においては、どのようなタイプの給湯口アダプターも組み付けることができる。例えば前面から湯水を吸引し、かつ周側壁から湯水を吐出する弁付きの無極性タイプの給湯口アダプターや、戻り管や往き管の接続位置が予め決定されている有極性タイプの給湯口アダプターにも、上記と同様に適用することができる。
【００９３】
また上記実施形態においては、把持部５２を楕円形ないし長円形の環状（枠状）に形成しているが、それだけに限られず、本発明において、把持部５２の形状はどのような形状に形成しても良い。例えば図９に示すように、把持部５２を矩形環状に形成し、かつフック部５３をコ字状に形成したり、図１０に示すように把持部５２をフック部５３と同様にＵ字状に形成するようにしても良い。なお、把持部５２は、図５に示す上記実施形態の取付治具５や、図９に示す取付治具５のように、環状に形成するのが好ましい。すなわち、把持部５２を環状に形成しておくと、把持部５２を握る場合には握り易く、また把持部５２に指を掛ける場合でも支障なく指を掛けることができ、いずれの場合でも、良好な操作性を得ることができるため、把持部５２を環状に形成するのが好ましい。
【００９４】
また上記実施形態の取付治具５においては、フック部５３の他に、把持部５２を１つ形成する場合を例に挙げて説明したが、それだけに限られず、本発明においては、フック部５３の他に、把持部を２つ以上形成するようにしても良い。このような場合、２つ以上の把持部およびフック部を前後方向に並べて配置するのが良い。
【産業上の利用可能性】
【００９５】
この発明の給湯口アダプター取付治具は、浴槽に給湯口アダプターを組み付ける際に用いることができる。
【符号の説明】
【００９６】
１：槽外取付部材
１８：ねじ切り凹部
２：雄ねじ部材
３：流路仕切部材
３６：ロックピン
５：取付治具
５１：軸部
５２：把持部
５３：フック部
５４：ピンセット部
５６：低強度部
５８：ねじ部
Ｗ１：浴槽側壁
Ｈ１：取付孔
【図１】
2014156984.tif 000003
【図２】
2014156984.tif 000004
【図３】
2014156984.tif 000005
【図４】
2014156984.tif 000006
【図５】
2014156984.tif 000007
【図６Ａ】
2014156984.tif 000008
【図６Ｂ】
2014156984.tif 000009
【図７】
2014156984.tif 000010
【図８】
2014156984.tif 000011
【図９】
2014156984.tif 000012
【図１０】
2014156984.tif 000013